(57)【要約】【課題】ヘッドボックスカバーをヘッドボックスに容易に取着可能とするブラインドのヘッドボックスカバーを提供すること。【解決手段】ヘッドボックス１は、窓上部の取付面に固定された取付ブラケット６に一体に取着されている。取付装置８は、第一の掛止部１６，１７を第一の掛爪２３と係合させ、第二の掛止部１９を第二の掛爪２４と係合させることでヘッドボックス１にヘッドボックスカバー７を取着している。ヘッドボックスカバー７には第一の掛爪２３を備えた係合部材９が一体に取着されており、該第一の掛爪２３はヘッドボックスカバー７の上端近傍位置に位置決めされている。第一の掛爪２３、第二の掛爪２４及び位置決め凸部２５は取着板の長手方向全体に亘って形成されている。【選択図】        図１
2005016079.tif 000002
【特許請求の範囲】
【請求項１】
ヘッドボックスを覆うヘッドボックスカバーにおいて、
前記ヘッドボックスカバーは、前記ヘッドボックスに取着される第一のユニットと、前記ヘッドボックスカバーに取着される第二のユニットとを係合することで前記ヘッドボックスと一体に組み付けられ、
前記第二のユニットは前記第一のユニットに係合可能な形材としたことを特徴とするブラインドのヘッドボックスカバー。
【請求項２】
前記第一のユニットは、ヘッドボックスの取付ブラケットに取着したことを特徴とする請求項１記載のブラインドのヘッドボックスカバー。
【請求項３】
前記第二のユニット及び前記ヘッドボックスカバーには該ヘッドボックスカバーを所定位置に取着するための位置決め部が互いに形成されていることを特徴とする請求項１又は２に記載のブラインドのヘッドボックスカバー。
【請求項４】
前記第一のユニットは前記第二のユニットと係合する第一の掛止部及び第二の掛止部を備え、
前記第二のユニットは前記第一のユニットと係合する第一の掛爪と、
前記第一の掛爪を前記第一の掛止部に係合した状態で前記第一のユニットに向かって押し込まれることで前記第二の掛止部と係合する第二の掛爪とを備えたことを特徴とする請求項１〜３のうちの何れか一項に記載のブラインドのヘッドボックスカバー。
【請求項５】
前記第二のユニットは前記第一の掛爪が前記ヘッドボックスカバーの幅方向一端に位置するように前記ヘッドボックスカバーに取着されていることを特徴とする請求項１〜４のうちの何れか一項に記載のブラインドのヘッドボックスカバー。
【請求項６】
前記第二のユニットは前記ヘッドボックスカバーの長手方向全体に亘って取着されていることを特徴とする請求項１〜５のうちの何れか一項に記載のブラインドのヘッドボックスカバー。
【請求項７】
前記第二のユニットは前記第一のユニットと前記第二のユニットとを係合する際に前記第一のユニットとの係合箇所近傍にのみ取着されていることを特徴とする請求項１〜５のうちの何れか一項に記載のブラインドのヘッドボックスカバー。
【発明の詳細な説明】
【０００１】
【発明の属する技術分野】
この発明はブラインドのヘッドボックスカバーに関するものである。
【０００２】
【従来の技術】
従来、横型ブラインドのヘッドボックスには、同ヘッドボックスを室内側からの視界から遮るためのヘッドボックスカバーが取付装置を介して取付けられる。特許文献１に記載の取付装置では、取付装置は、ヘッドボックスに取着される第一の支持部材と、ヘッドボックスカバーに取着される第二の支持部材とで構成されている。そして、第一の支持部材に対し第二の支持部材を嵌合して、ヘッドボックスカバーを支持可能とし、第一及び第二の支持部材を固定手段で嵌合状態に固定可能とした。
【０００３】
【特許文献１】
特開平１１−３２４５３６号公報
【０００４】
【発明が解決しようとする課題】
ところが、特許文献１に記載の構成では、ヘッドボックスに取着される第一の支持部材と、ヘッドボックスカバーに取着された第二の支持部材との位置をヘッドボックスの長手方向において一致させないとヘッドボックスカバーをヘッドボックスに取付けることができなかった。従って、第一の支持部材と第二の支持部材との位置決めを高精度に行う必要があり、第一及び第二の支持部材の取付けに手間がかかるといった問題があった。
【０００５】
本発明は上記問題点を解決するためになされたものであって、その目的はヘッドボックスカバーをヘッドボックスに容易に取着可能とするブラインドのヘッドボックスカバーを提供することにある。
【０００６】
【課題を解決するための手段】
請求項１に記載の発明は、ヘッドボックスを覆うヘッドボックスカバーにおいて、前記ヘッドボックスカバーは、前記ヘッドボックスに取着される第一のユニットと、前記ヘッドボックスカバーに取着される第二のユニットとを係合することで前記ヘッドボックスと一体に組み付けられ、前記第二のユニットは前記第一のユニットに係合可能な形材とした。
【０００７】
請求項２に記載の発明は、請求項１に記載の発明において、前記第一のユニットは、ヘッドボックスの取付ブラケットに取着した。
請求項３に記載の発明は、請求項１又は２に記載の発明において、前記第二のユニット及び前記ヘッドボックスカバーには該ヘッドボックスカバーを所定位置に取着するための位置決め部が互いに形成されている。
【０００８】
請求項４に記載の発明は、請求項１〜３のうちの何れか一項に記載の発明において、前記第一のユニットは前記第二のユニットと係合する第一の掛止部及び第二の掛止部を備え、前記第二のユニットは前記第一のユニットと係合する第一の掛爪と、前記第一の掛爪を前記第一の掛止部に係合した状態で前記第一のユニットに向かって押し込まれることで前記第二の掛止部と係合する第二の掛爪とを備えた。
【０００９】
請求項５に記載の発明は、請求項１〜４のうちの何れか一項に記載の発明において、前記第二のユニットは前記第一の掛爪が前記ヘッドボックスカバーの幅方向一端に位置するように前記ヘッドボックスカバーに取着されている。
【００１０】
請求項６に記載の発明は、請求項１〜５のうちの何れか一項に記載の発明において、前記第二のユニットは前記ヘッドボックスカバーの長手方向全体に亘って取着されている。
【００１１】
請求項７に記載の発明は、請求項１〜５のうちの何れか一項に記載の発明において、前記第二のユニットは前記第一のユニットと前記第二のユニットとを係合する際に前記第一のユニットとの係合箇所近傍にのみ取着されている。
【００１２】
【発明の実施の形態】
以下、この発明を具体化した一実施形態を図面に従って説明する。
図１に示す横型ブラインドは、ヘッドボックス１から複数本のラダーコード２を介して多数段のスラット３が吊下支持されている。
【００１３】
ラダーコード２の上端部は、ヘッドボックス内に回動可能に収容された図示しないドラムに取着されており、該ドラムの回転方向に従ってスラット３の幅方向（図１において左右方向）両側に取着されたラダーコード２の一方が上方に引き上げられる。各スラット３はこのようにラダーコード２の一方が引き上げられることにより、支持される角度が調節される。
【００１４】
スラット３の幅方向（図１において左右方向）中央には昇降コード４が貫通されており、該昇降コード４の一端はスラット３の下方に配設された図示しないボトムレールに取着されている。一方、昇降コード４の他端はヘッドボックス１内及び図示しないストッパを介して操作棒５内に挿通され、該操作棒５内を下方に垂下されている。
【００１５】
このように形成されたボトムレールは、操作棒５内に挿通された昇降コード４を下方へ引いて、ヘッドボックス１から昇降コード４を引き出すことにより、上方に引き上げられ、それに伴いスラット３を引き上げ可能である。そして、昇降コード４の引き出し操作を停止すれば、ストッパが作動してスラット３及びボトムレールの自重による降下が防止されて、スラット３及びボトムレールが所望位置に吊下支持される。
【００１６】
前記ヘッドボックス１は、窓上部の取付面に固定された取付ブラケット６に一体に取着されている。具体的には、窓上部の取付面に固定された取付ブラケット６の下方には、側断面略Ｌ字状をなすヘッドボックス１の取着用ブラケット６ａが図示しないネジなどの固着手段を用いて取着されている。取着用ブラケット６ａは係合爪６ｂ，６ｃを備えており、該係合爪６ｂ，６ｃに引っ掛けられることでヘッドボックス１は取付ブラケット６と一体に取着されている。
【００１７】
前記ヘッドボックス１の前方及び側方には、同ヘッドボックス１を室内側からの視界から遮るための木製のヘッドボックスカバー７が取付装置８を介して支持されている。
【００１８】
取付装置８は、ヘッドボックスカバー７に一体的に取着される係合部材９、金属板を折り曲げて形成されるホルダ１０、合成樹脂で成型されるスライドブロック１１及び図示しないコイルスプリングで構成される。尚、本実施の形態において、第一のユニットは、ホルダ１０、スライドブロック１１及びコイルスプリングにて構成されており、第二のユニットは係合部材９にて構成されている。
【００１９】
図２に示すように、前記ホルダ１０は金属板の両側を直角に折り曲げて側辺１２，１３が形成され、さらに側辺１２，１３の端部を内側へ折り曲げることにより、スライドブロック１１を移動可能に支持する支持片１４，１５が対向して設けられている。
【００２０】
側辺１２，１３の上端には底面１０ａに向かって嘴状に突出する第一の掛止部１６，１７がそれぞれ形成されている。また、側辺１２の上端近傍位置には側辺１３側に向かって直角に折り曲げられた固着片１８が形成されている。固着片１８には上述したコイルスプリングの一端が取着されている。コイルスプリングの他端はスライドブロック１１（図１参照）に取着されており、該スライドブロック１１は固着片１８を支点とするコイルスプリングの付勢力により、図１において下方向に向かって付勢されている。
【００２１】
側辺１２には移動規制孔１２ａが形成されている。移動規制孔１２ａは側辺１２を長四角形状に切り欠いて形成されている。
ホルダ１０の上辺は金属板が側辺１２，１３と反対側に直角に折り曲げられており、ネジ止部２０が形成されている。ネジ止部２０は幅方向中央に長円形状の透孔２０ａが形成されている。
【００２２】
このように形成されたホルダ１０は透孔２０ａの下方からネジ２１を貫挿させ、取付ブラケット６に形成されたネジ穴にネジ２１を螺入することで取付ブラケット６に取着される。
【００２３】
ホルダ１０にはスライドブロック１１が図１において上下方向に移動可能に収容されている。スライドブロック１１はホルダ１０の底面１０ａ、側辺１２，１３及び支持片１４，１５で囲まれる空間に挿入可能とする幅及び高さで形成されている。スライドブロック１１には第二の掛止部１９が形成されている。第二の掛止部１９はホルダ１０にスライドブロック１１を収容した時に、前記第一の掛止部１６，１７と相反する方向に向かって突出するように形成されている。また、第二の掛止部１９は先端に向かって徐々に薄肉となるように斜面１９ａを備えている。
【００２４】
スライドブロック１１には該スライドブロック１１から一体に突出する移動規制部１１ａが形成されている。移動規制部１１ａは前記ホルダ１０への収容時に移動規制孔１２ａからホルダ１０の外側に突出するように形成されている。従って、移動規制部１１ａは移動規制孔１２ａにて移動範囲が設定され、それに伴い移動規制部１１ａが一体形成されたスライドブロック１１の移動範囲が設定される。
【００２５】
図３に示すように、係合部材９は合成樹脂にて側断面略コ字状の形材にて形成されている。係合部材９は長手方向（図３の左右方向）において、ヘッドボックスカバー７と略等しい長さに形成されており、取着板２２、第一の掛爪２３、第二の掛爪２４を備えている。取着板２２は平面長四角形状の板にて形成されており、該取着板２２の幅方向（図１及び図３において上下方向）の長さは前記ヘッドボックスカバー７（図１参照）の幅方向の長さの略半分に設定されている。
【００２６】
取着板２２の両端からは第一の掛爪２３及び第二の掛爪２４が取着板２２に直角に突出形成されている。また、取着板２２は第一の掛爪２３及び第二の掛爪２４と反対側に突出する位置決め部としての位置決め凸部２５を備えている。第一の掛爪２３、第二の掛爪２４及び位置決め凸部２５は取着板２２の長手方向（図３において左右方向）全体に亘って形成されている。
【００２７】
取着板２２は少なくとも長手方向両側部に該取着板２２を貫通するネジ孔２６が形成されている。係合部材９はネジ孔２６にネジ２７（図１参照）が貫挿されるとともに、該ネジ２７の先端がヘッドボックスカバー７内に螺入されることで該ヘッドボックスカバー７に一体に取着される。尚、ヘッドボックスカバー７には長手方向（図１において表裏方向）に延びる位置決め部としての位置決め凹部２８が形成されている。位置決め凹部２８はヘッドボックスカバー７の幅方向（図１において上下方向）両端部近傍にそれぞれ形成されている。従って、ヘッドボックスカバー７は上下の取着方向を気にすることなく係合部材９に取着可能である。
【００２８】
このように形成されたヘッドボックスカバー７は位置決め凹部２８の上面及び下面のうちの一面（本実施形態では下面）を位置決め凸部２５に当接させた状態で係合部材９の取着を行うことで容易に位置決めを行うことができる。具体的には、ヘッドボックスカバー７と係合部材９とは、ヘッドボックスカバー７の上端面と、係合部材９の上端面とが略同一平面上に位置するように、即ち、係合部材９がヘッドボックスカバー７の上端部近傍に位置するように位置決めされている。
【００２９】
第一の掛爪２３及び第二の掛爪２４はともに先端が内側に湾曲されており、それぞれの爪先部２３ａ及び爪先部２４ａが取着板２２側に向かって延設されている。第一の掛爪２３は前述した第一の掛止部１６，１７と係合可能に形成されており、第二の掛爪２４は前述した第二の掛止部１９と係合可能に形成されている。
【００３０】
爪先部２３ａと爪先部２４ａとの間隔はスライドブロック１１の移動範囲内において、第一の掛止部１６，１７と第二の掛止部１９とが最も離間された場合の両者の間隔よりも小さく、且つ第一の掛止部１６，１７と第二の掛止部１９とが最も近接された場合の両者の間隔よりも大きく設定されている。また、爪先部２３ａと爪先部２４ａとの間隔はスライドブロック１１の移動範囲内において、第一の掛止部１６，１７と第二の掛止部１９とが最も離間された場合の第一の掛止部１６，１７から第二の掛止部１９の斜面１９ａまでの間隔と等しく設定されている。
【００３１】
次に、上記のように構成された横型ブラインドにおけるヘッドボックスカバー７の取着動作について説明する。
図４に示すように、ヘッドボックス１にヘッドボックスカバー７を取着する際、ホルダ１０が取付ブラケット６に取着されている状態で、先ず第一の掛止部１６，１７に第一の掛爪２３と係合させる。その後、第一の掛止部１６，１７に第一の掛爪２３を係合させた状態で、第一の掛爪２３を中心にヘッドボックスカバー７及び係合部材９を矢印Ａの方向に向かって押し込むと、第二の掛爪２４は第二の掛止部１９の斜面１９ａに当接する。
【００３２】
この状態から更に第一の掛爪２３を中心にヘッドボックスカバー７及び係合部材９を矢印Ａの方向に向かって押し込み、仮想線Ｂに示す位置まで移動させる。すると、スライドブロック１１は斜面１９ａを介して第二の掛爪２４から図４において上方に向かう力を受けるため、コイルスプリングの付勢力に抗して該方向に向かって仮想線Ｃに示す位置まで移動する。
【００３３】
尚、この際、ヘッドボックスカバー７は、該ヘッドボックスカバー７の上端に位置する第一の掛爪２３を支点として回動する。従って、ユーザはヘッドボックスカバー７の下端を把持して該ヘッドボックスカバー７を回動させることにより、テコの原理を用いて少ない力でヘッドボックスカバー７を回動させることができ、容易にスライドブロック１１を上方に移動させることができる。
【００３４】
そして、第二の掛爪２４が斜面１９ａを乗り越えると、斜面１９ａを介してスライドブロック１１に加えられていた上方に向かう力がなくなるので、スライドブロック１１はコイルスプリングの付勢力により再び下方に移動され、図１に示す状態で第二の掛止部１９と第二の掛爪２４とが係合する。
【００３５】
一方、取付ブラケット６からヘッドボックスカバー７及び係合部材９を取り外す場合には、先ず、コイルスプリングの付勢力に抗してスライドブロック１１をホルダ１０内に押圧して、第二の掛止部１９と第二の掛爪２４との係合を解除する。次いで、ヘッドボックスカバー７及び係合部材９を矢印Ａとは反対方向に移動すればよい。
【００３６】
上記のように構成された横型ブラインドでは、次に示す作用効果を得ることができる。
（１）取付装置８にてヘッドボックスカバー７をヘッドボックス１に取着することにより、ヘッドボックス１の前方及び側方にヘッドボックスカバー７が支持されて、ヘッドボックス１を室内側の視界から遮ることができる。
（２）第一の掛爪２３、第二の掛爪２４は係合部材９の長手方向（図３において左右方向）全体に亘って形成されている。従って、ヘッドボックス１に一体に取着された第一の掛止部１６，１７及び第二の掛止部１９の位置を気にすることなく第一の掛爪２３及び第二の掛爪２４を第一の掛止部１６，１７及び第二の掛止部１９と係合させることができ、ヘッドボックスカバー７をヘッドボックス１に容易に取着することができる。
（３）ホルダ１０は取付ブラケット６に取着される。従って、様々な形状のヘッドボックスに取付装置８を用いることができ、取付装置８の汎用性を向上することができる。また、取付装置８を取着するために、ヘッドボックス１に新たな加工を施す必要がない。
（４）ヘッドボックスカバー７は位置決め凹部２８の両側壁のうちの一方を位置決め凸部２５に当接させた状態で係合部材９に一体的に固着される。従って、ヘッドボックスカバー７の所定位置に係合部材９を確実に位置決めすることができる。
（５）第一の掛爪２３を第一の掛止部１６，１７に係合させた状態から係合部材９をホルダ１０側に押し込むだけで、第二の掛爪２４が第二の掛止部１９に係合し、係合部材９をホルダ１０に取着することができる。従って、ヘッドボックス１を容易にヘッドボックスカバー７にて遮蔽することができる。
（６）ヘッドボックスカバー７と係合部材９とは、テコの原理を用いることにより、少ない力でスライドブロック１１を上方に移動させ、第二の掛止部１９と第二の掛爪２４とを係合させることができる。従って、ヘッドボックスカバー７をヘッドボックス１に容易に取着することができる。
【００３７】
上記実施の形態は、次に示すように変更することもできる。
・上記実施の形態においては、係合部材９をヘッドボックスカバー７と略等しい長さに形成したが、取付ブラケット６の位置に合わせた箇所のみに一定寸法で切断して取付けるようにしてもよい。
【００３８】
【発明の効果】
以上詳述したように、この発明はヘッドボックスカバーをヘッドボックスに容易に取着可能とするブラインドのヘッドボックスカバーを提供することができる。
【図面の簡単な説明】
【図１】横型ブラインドの側面図。
【図２】ホルダの説明図。
【図３】係合部材の説明図。
【図４】取付装置の動作の説明図。
【符号の説明】
１…ヘッドボックス
６…取付ブラケット
７…ヘッドボックスカバー
８…取付装置
９…第二のユニットとしての係合部材
１０…第一のユニットとしてのホルダ
１１…第一のユニットとしてのスライドブロック
１６，１７…第一の掛止部
１９…第二の掛止部
２３…第一の掛爪
２４…第二の掛爪
２５…位置決め部としての位置決め凸部
２８…位置決め部としての位置決め凹部
【図１】
2005016079.tif 000003
【図２】
2005016079.tif 000004
【図３】
2005016079.tif 000005
【図４】
2005016079.tif 000006